(57)【要約】      （修正有）【課題】使用者の腰への負担を軽くし、かつ、ベルトを外さなくても腰袋を外すことができるショルダーストラップを提供する。【解決手段】腰袋１２０のベルト通し１２１に挿入することができ、かつ、ベルト通し１２１に挿入した状態で、ベルト通し１２１から両端が露出する挿入部１０１と、帯状部材からなり、その一端に形成されているフック１０４により、挿入部１０１に対して着脱自在にされた肩掛け部１０２と、からなる。【選択図】図１
0003106247.tif 000002
【実用新案登録請求の範囲】
【請求項１】
腰袋のベルト通しに挿入することができ、かつ、前記ベルト通しに挿入した状態で、前記ベルト通しから両端が露出する挿入部と、
帯状部材からなり、その両端が前記挿入部の両端にそれぞれ取り付けられる肩掛け部と、
からなり、
前記肩掛け部の少なくとも一端は、前記挿入部の少なくとも一端に対して着脱自在にされているショルダーストラップ。
【請求項２】
前記挿入部には、前記ベルト通しへの挿入方向における前記挿入部の長さを調節する長さ調節機構が設けられていることを特徴とする請求項１に記載のショルダーストラップ。
【請求項３】
前記肩掛け部の少なくとも一端には、フックが形成されており、
前記挿入部の少なくとも一端には、貫通孔が形成されており、
前記フックを前記貫通孔に引っかけることで、前記肩掛け部の少なくとも一端は前記挿入部の少なくとも一端に対して着脱自在にされていることを特徴とする請求項１又は２に記載のショルダーストラップ。
【請求項４】
前記肩掛け部の少なくとも一端には、フックが形成されており、
前記挿入部の少なくとも一端には、前記挿入部に対して一点において回動自在に連結された回動部材が設けられており、
前記回動部材には、貫通孔が形成されており、
前記フックを前記貫通孔に引っかけることで、前記肩掛け部の少なくとも一端は前記挿入部の少なくとも一端に対して着脱自在にされていることを特徴とする請求項１又は２に記載のショルダーストラップ。
【請求項５】
前記回動部材が設けられている前記挿入部の少なくとも一端には、回動部材用貫通孔が形成されており、
前記回動部材用貫通孔は、前記回動部材を回動させた任意の位置において前記貫通孔と連通する位置に形成されていることを特徴とする請求項４に記載のショルダーストラップ。
【請求項６】
前記回動部材は、円形に形成されていることを特徴とする請求項４又は５に記載のショルダーストラップ。
【考案の詳細な説明】
【技術分野】
【０００１】
本考案は、ショルダーストラップに関し、特に、釘、ネジ、金槌、ペンチ等の工具を入れる腰袋に取り付けて、肩に掛けることができるようにしたショルダーストラップに関する。
【背景技術】
【０００２】
釘、ネジ、金槌、ペンチ等の工具は、従来から、腰に巻くベルトに通して腰にぶら下げることができる腰袋に入れて、作業中に持ち歩くことが行われている（例えば、実登録第３０１２３２１号公報、特開２０００−３００３２８号公報参照）。
【考案の開示】
【考案が解決しようとする課題】
【０００３】
しかしながら、腰袋の中に大量の工具を入れた場合には、腰の部分に大きな負担が掛かるとともに、ベルトが下にずり下がり、歩行等の邪魔になっていた。
【０００４】
また、腰袋の着脱の際には、ベルトも着脱しなければならず、不便であった。
【０００５】
そこで、本考案は、使用者の腰への負担を軽くし、かつ、ベルトを外さなくても腰袋を外すことができるショルダーストラップを提供することを目的とする。
【課題を解決するための手段】
【０００６】
以上の課題を解決するため、本考案は、腰袋のベルト通しに挿入することができ、かつ、前記ベルト通しに挿入した状態で、前記ベルト通しから両端が露出する挿入部と、帯状部材からなり、その両端が前記挿入部の両端にそれぞれ取り付けられる肩掛け部と、からなり、前記肩掛け部の少なくとも一端は、前記挿入部の少なくとも一端に対して着脱自在にされているショルダーストラップを提供する。
【０００７】
このようなショルダーストラップを提供することにより、腰袋を肩に掛けることが可能となり、使用者の腰への負担を軽くし、かつ、ベルトを外さなくても腰袋を外すことができる。
【０００８】
また、ショルダーストラップの挿入部には、前記ベルト通しへの挿入方向における前記挿入部の長さを調節する長さ調節機構を設けておくことにより、腰袋のベルト通しの大きさに合わせて挿入部の長さを変えることができ、便利である。
【０００９】
ここで、肩掛け部の少なくとも一端と挿入部の少なくとも一端とは、どのような方法により着脱自在にすることも可能であるが、例えば、肩掛け部の少なくとも一端にフックを形成し、挿入部の少なくとも一端に貫通孔を形成することで、フックを貫通孔に引っかけ、肩掛け部の一端を挿入部の一端に対して着脱自在にすることが可能である。
【００１０】
また、例えば、肩掛け部の少なくとも一端にフックを形成し、挿入部の少なくとも一端に挿入部に対して一点において回動自在に連結された回動部材を設けておき、この回動部材に貫通孔を形成することで、フックを貫通孔に引っかけ、肩掛け部の一端を挿入部の一端に対して着脱自在にすることが可能である。
【００１１】
さらに、回動部材が設けられている挿入部の少なくとも一端に、回動部材用貫通孔を形成しておき、回動部材を回動させた任意の位置において回動部材に形成された貫通孔とこの回動部材用貫通孔とが連通するように形成しておくことで、回動部材に形成された貫通孔が回動部材用貫通孔と連通しない位置においてこの貫通孔にフックを引っかけることも、回動部材に形成された貫通孔が回動部材用貫通孔と連通する位置においてこの貫通孔と回動部材用貫通孔とにフックを引っかけることも選択可能となる。
【００１２】
そして、このような選択を行うことにより、フックを引っかける貫通孔の位置を変えることができる。
【００１３】
なお、回動部材の形状について任意の形状を選択することができるが、例えば、円形に形成することにより、ベルト通しに通す際に引っかからず便利である。
【考案の効果】
【００１４】
以上のように、本考案によれば、腰袋を肩に掛けることができるようにすることで、使用者の腰への負担を軽くし、かつ、ベルトを外さなくても腰袋を外すことができるようになる。
【００１５】
また、挿入部の長さを調節することができるようにすることで、任意の腰袋に使用することができるようになる。
【考案を実施するための最良の形態】
【００１６】
図１は、本考案の第一の実施形態に係るショルダーストラップ１００の正面図及び腰袋１２０の背面図である。
【００１７】
本実施形態に係るショルダーストラップ１００は、挿入部１０１と、肩掛け部１０２と、により構成されている。
【００１８】
ここで、腰袋１２０は市販のものであり、任意のものを選択することができる。
【００１９】
本実施形態における挿入部１０１は、ポリプロピレン樹脂の可撓性薄板により形成されており、その両端には、それぞれ貫通孔１０３が形成されている。
【００２０】
ここで、挿入部１０１の幅Ｘは、腰袋１２０に形成されているベルト通し１２１に挿入することができる大きさにされている。
【００２１】
即ち、ベルト通し１２１の幅をＸ’とすると、Ｘ’＞Ｘとなるようにされている。
【００２２】
なお、挿入部１０１の幅Ｘをベルト通し１２１の幅Ｘ’よりもどの程度小さくするかは、この挿入部１０１をベルト通し１２１に挿入することができる範囲で適時選択することができる設計事項である。
【００２３】
また、挿入部１０１の長さＹは、ベルト通し１２１の長さＹ’よりも大きくなるようにされている。
【００２４】
これは、挿入部１０１をベルト通し１２１に挿入した後に、挿入部１０１の一端に設けられている貫通孔１０３に肩掛け部１０２に形成されているフック１０４を引っかけることができるようにするためである。
【００２５】
従って、挿入部１０１の長さＹをベルト通し１２１の長さＹ’よりもどの程度大きくするかは、このような目的を果たすことができる範囲で適時選択することができる設計事項であるが、挿入部１０１をベルト通し１２１に挿入した際に、挿入部１０１の両端に設けられている貫通孔１０３がこのベルト通し１２１から完全に露出する程度に挿入部１０１の長さＹをベルト通し１２１の長さＹ’よりも大きくすることが望ましい。
【００２６】
挿入部１０１の両端に形成されている貫通孔１０３は、後述する肩掛け部１０２を連結するためのものであり、このような目的を果たすことができる範囲で適時その大きさ・形状・位置を選択すればよい。
【００２７】
本実施形態における肩掛け部１０２は、ポリプロピレン樹脂からなる糸を編み込んで形成された帯状部材により形成されている。
【００２８】
そして、この肩掛け部１０２の一端にはフック１０４が取り付けられており、挿入部１０１の一端に形成されている貫通孔１０３に着脱自在に取り付けられる。
【００２９】
また、肩掛け部１０２の他端は、連結環１０５を挿入部１０１の他端に形成されている貫通孔１０３に通すことにより、挿入部１０１の他端から取り外すことができないように連結されている。
【００３０】
肩掛け部１０２の長さについては、人の肩に袈裟懸けすることができる範囲で適時選択することができる設計事項である。
【００３１】
なお、肩掛け部１０２には、第一の留め具１０６と、第二の留め具１０７と、が設けられており、第一の留め具１０６に、帯状に形成されている肩掛け部１０２を引っかけて長さ方向において折り返し、折り返されて重なり合った肩掛け部１０２を第二の留め具１０７で固定することができるようにすることで、この重なり合う部分の長さを調節することにより、肩掛け部１０２の長さを調節することができるようにされている。
【００３２】
また、肩掛け部１０２には、人の肩に袈裟懸けした際に、人の肩に当たる部分に弾性部材を配置した肩パット１０８が設けられている。
【００３３】
この肩パット１０８は、肩パット１０８に設けられているループ１０８ａに肩掛け部１０２を通すことで肩掛け部１０２に取り付けられており、肩掛け部１０２に沿って位置を変えることができるようにしている。
【００３４】
本実施形態に係るショルダーストラップ１００は、以上のように構成されているので、肩掛け部１０２のフック１０４を挿入部１０１の貫通孔１０３から外した状態で、挿入部１０１を腰袋１２０のベルト通し１２１に挿入し、図２（ショルダーストラップ１００の使用例を表す一部拡大図）に表されているように、ベルト通し１２１から出てきた貫通孔１０３にフック１０４を引っかけることにより、腰袋１２０に取り付けることができるようになる。
【００３５】
そして、ショルダーストラップ１００を腰袋１２０に取り付けた状態で、肩掛け部１０２を袈裟懸けすることで、腰袋１２０を肩に掛けることができるようになる。
【００３６】
なお、本実施形態における挿入部１０１は、ポリプロピレン樹脂の薄板により形成されているが、このような材質に限定されるわけではなく、例えば皮革等、腰袋１２０のベルト通し１２１に通すことができる範囲で適時選択することができる設計事項である。
【００３７】
また、肩掛け部１０２についても、ポリプロピレン樹脂からなる糸を編み込んで形成された帯状部材により形成されているが、このような材質に限られるわけではなく、例えば、綿糸や皮革等により形成することも可能である。
【００３８】
さらに、本実施形態においては、肩掛け部１０２の一端にはフック１０４を取り付け、他端には連結管１０５が取り付けられているが、この連結管１０５の代わりにフックを取り付け、肩掛け部１０２の両端を挿入部１０１に対して着脱自在に取り付けることができるようにすることも可能である。
【００３９】
図３は、本考案の第二の実施形態に係るショルダーストラップ２００の正面図である。
【００４０】
本実施形態に係るショルダーストラップ２００も、第一の実施形態に係るショルダーストラップと同様に、挿入部２０１と、肩掛け部２０２と、により構成されている。
【００４１】
本実施形態における挿入部２０１は、ポリプロピレン樹脂からなる糸を編み込んだ帯状部材により形成されており、第一の実施形態と同様に両端に貫通孔１０３が形成されている。
【００４２】
図４（挿入部２０１の底面図）に表されているように、本実施形態に係る挿入部２０１は、それぞれに貫通孔１０３が形成されている第一の端部材２１０及び第二の端部材２１１と、第一の端部材２１０及び第二の端部材２１１の間に掛け渡された長尺部材２１２と、により構成されており、長尺部材２１２の一端２１２ａは、第二の端部材２１１との間に二つのリング２１３を挟み込んだ状態で固定されており、その他端２１２ｂは開放端とされている。
【００４３】
そして、第一端部材２１０には、一つのリング２１３が固定されている。
【００４４】
そして、第一の部材２１０と第二の部材２１１とを、それぞれに形成されている貫通孔１０３が両端に位置するようにして並べた状態で、長尺部材２１２の開放端とされている他端２１２ｂを第一の部材２１０に固定されているリング２１３に通した後、このリング２１３において折り返し、第二の部材２１１に固定されている二つのリング２１３に通した後、再び折り返し、第二の部材２１１に固定されているリング２１３の内第一の部材側のリング２１３に通して、第一の部材２１０と第二の部材２１１とをそれぞれ引き離す方向に付勢することで、第二の部材２１１に固定されている二つのリング２１３の間に長尺部材２１２が確実に挟み込まれ、第一の部材２１０と第二の部材２１１とが連結される。
【００４５】
ここで、挿入部２０１は、折り返された長尺部材２１２の重なり合っている部分の長さを変えることにより、第一の部材２１０と第二の部材２１１との間の間隔、ひいては二つの貫通孔１０３の間の間隔を変更し、伸縮自在となるようにされている。
【００４６】
従って、図５（挿入部２０１の正面図及び腰袋２２０の背面図）に表されているように、挿入部材２０１を挿入するベルト通し２２１の長さに応じて、挿入部材２０１の長さを変えることができる。
【００４７】
なお、本実施形態における挿入部２０１においても、第一の実施形態における挿入部１０１と同様に、腰袋２２０のベルト通し２２１に通すことができる幅に形成されている。
【００４８】
また、本実施形態における貫通孔１０３も、肩掛け部２０２を連結するためのものであり、このような目的を果たすことができる範囲で適時その大きさ・形状・位置を選択すればよい。
【００４９】
本実施形態における肩掛け部２０２も、第一の実施形態と同様に、ポリプロピレン樹脂からなる糸を編み込んで形成された帯状部材により形成されており、第一の留め具１０６と第二の留め具１０７により、長さを調節することができるようにされている。
【００５０】
また、本実施形態においても、肩掛け部２０２には、人の肩に袈裟懸けした際に、人の肩に当たる部分に弾性部材を配置した肩パット１０８が設けられており、この肩パット１０８は、肩掛け部２０２に沿って位置を変えることができるようにしている。
【００５１】
本実施形態における肩掛け部２０２は、第一の実施形態とは異なり、その両端のそれぞれにフック１０４が形成されており、挿入部２０１に形成されている貫通孔１０３にこれらのフック１０４を引っかけることにより、これらを着脱自在に連結することができるようにされている。
【００５２】
本実施形態に係るショルダーストラップ２００は、以上のように構成されているので、肩掛け部２０２の両端のフック１０４を挿入部２０１の貫通孔１０３から外した状態で、挿入部１０１を腰袋２２０のベルト通し２２１の長さに合わせて伸縮させ、挿入部１０１を腰袋２２０のベルト通し２２１に挿入し、ベルト通し２２１から露出している貫通孔１０３にフック１０４を引っかけることで、腰袋２２０に取り付けることができるようになる。
【００５３】
そして、このようにしてショルダーストラップ２００を腰袋２２０に取り付けた状態で、肩掛け部１０２を袈裟懸けすることで、腰袋２２０を肩に掛けることができるようになる。
【００５４】
なお、本実施形態における挿入部２０１及び肩掛け部２０２は、ポリプロピレン樹脂からなる糸を編み込んだ帯状部材により形成されているが、このような材質に限定されるわけではなく、例えば、綿布や皮革等その他の材質により形成することも可能である。
【００５５】
図６は、本考案の第三の実施形態に係るショルダーストラップ３００の正面図である。
【００５６】
本実施形態に係るショルダーストラップ３００も、第一の実施形態に係るショルダーストラップ１００と同様に、挿入部３０１と、肩掛け部２０２と、により構成されている。
【００５７】
なお、本実施形態における肩掛け部２０２は、第二の実施形態と同様に形成されているため、説明を省略する。
【００５８】
本実施形態における挿入部３０１は、第一の実施形態と同様に、ポリプロピレン樹脂の可撓性薄板により形成されており、その幅Ｘ及び長さＹも、第一の実施形態と同様に形成されている。
【００５９】
この点、本実施形態における挿入部３０１は、その両端にピン３１４を用いて円形の回動部材３１５が回動自在に取り付けられている。
【００６０】
ここで、図７（挿入部３０１の正面図）に表されているように、回動部材３１５の直径は、挿入部３０１の幅Ｘと同様にされており、回動部材３１５は、ピン３１４を中心にして回動させた際に、所定の位置で挿入部３０１と二点において接するように位置合わせされて、ピン３１４により挿入部３０１に回動自在に連結されている。
【００６１】
なお、本実施形態における回動部材３１５の大きさは、ピン３１４を中心にして回動させた際に、所定の位置で挿入部３０１と二点において接するような大きさ、即ち、回動部材３１５の直径が挿入部３０１の幅Ｘと同じになるように形成している。
【００６２】
この回動部材３１５は、挿入部３０１と同様にポリプロピレン樹脂の可撓性薄板により形成されており、ピン３１４を中心にして回動させた際に、挿入部３０１から外部に露出する任意の位置に貫通孔３０３が形成されている。
【００６３】
この貫通孔３０３については、第一の実施形態と同様に、肩掛け部２０２を連結するためのものであり、このような目的を果たすことができる範囲で適時その大きさ・形状・位置を選択すればよい。
【００６４】
このように本実施形態では、挿入部３０１に対して回動自在に連結された回動部材３１５に貫通孔３０３が形成されているため、図７に表されているように、回動部材３１５が挿入部３０１に二点において接するような位置にした状態で、挿入部３０１を腰袋１２０、２２０のベルト通し１２１、２２１に挿入してから、貫通孔３０３にフック１０４を引っかけやすい位置になるように回動部材３１５を回動させて、フック１０４を引っかけることで、腰袋１２０、２２０に取り付けることができるようにされている。
【００６５】
そして、ショルダーストラップ３００を腰袋１２０、２２０に取り付けた状態で、肩掛け部２０２を袈裟懸けすることで、腰袋１２０、２２０を肩に掛けることができるようになる。
【００６６】
なお、本実施形態における挿入部３０１及び回動部材３１５は、ポリプロピレン樹脂の薄板により形成されているが、このような材質に限定されるわけではなく、例えば皮革等、他の素材により形成することも可能である。
【００６７】
また、本実施形態においては、肩掛け部２０２の両端にフック１０４を取り付け、肩掛け部２０２の両端を挿入部３０１に対して着脱自在に取り付けることができるようにしているが、第一の実施形態のように、一端については、固定的に挿入部３０１に取り付けることも可能である。
【００６８】
さらに、本実施形態においては、回動部材３１５を円形に形成したが、これは、挿入部３０１をベルト通し１２１、２２１に挿入する際に邪魔にならないようにするために選択された形状であり、この形状については、挿入部３０１をベルト通し１２１、２２１に挿入することができる範囲で適時選択することができる設計事項であり、また、回動部材３１５を挿入部３０１に取り付ける位置についても、挿入部３０１をベルト通し１２１、２２１に挿入することができる範囲で適時選択することができる設計事項である。
【００６９】
なお、本実施形態における回動部材３１５の大きさは、回動部材３１５の直径が挿入部３０１の幅Ｘと同じになるように形成しているが、この大きさについても適時変更することが可能である。
【００７０】
図８は、本考案の第四の実施形態に係るショルダーストラップ４００の正面図である。
【００７１】
本実施形態に係るショルダーストラップ４００も、第一の実施形態に係るショルダーストラップ１００と同様に、挿入部３０１と、肩掛け部２０２と、により構成されている。
【００７２】
なお、本実施形態における肩掛け部２０２は、第二の実施形態と同様に形成されているため、説明を省略する。
【００７３】
本実施形態における挿入部４０１は、第一の実施形態と同様に、ポリプロピレン樹脂の可撓性薄板により形成されており、その幅Ｘ及び長さＹも、第一の実施形態と同様に形成されている。
【００７４】
また、本実施形態における挿入部４０１は、第三の実施形態と同様に、その両端にピン４１４を用いて円形の回動部材４１５が回動自在に取り付けられている。
【００７５】
ここで、回動部材４１５は、第三の実施形態と同様に、挿入部４０１と同様にポリプロピレン樹脂の可撓性薄板により形成されており、ピン４１４を中心にして回動させた際に、挿入部４０１から外部に露出する任意の位置に貫通孔４０３が形成されている。
【００７６】
この貫通孔４０３については、第一の実施形態と同様に、肩掛け部２０２を連結するためのものであり、このような目的を果たすことができる範囲で適時その大きさ・形状・位置を選択すればよい。
【００７７】
また、本実施形態においては、第三の実施形態とは異なり、挿入部４０１の両端に回動部材用貫通孔４１６が設けられている。
【００７８】
図９（挿入部４０１の正面図）に表されているように、回動部材用貫通孔４１６は、回動部材４１５を回動させた任意の位置（本実施形態においては、回動部材４１５が挿入部３０１と二点において接するような位置）にある場合に、回動部材４１５に形成された貫通孔４０３と回動部材用貫通孔４１６とが重なり合い、これらが連通するような位置に形成されている。
【００７９】
なお、回動部材４１５に形成された貫通孔４０３と、挿入部４０１に形成された回動部材用貫通孔４１６と、は同じ大きさとなるように形成している。
【００８０】
このように本実施形態では、挿入部４０１に回動部材４１５に形成された貫通孔４０３と連通する回動部材用貫通孔４１６が形成されているため、図９に表されているように、回動部材４１５が挿入部４０１に二点において接し、貫通孔４０３と回動部材用貫通孔４１６とが連通するような位置にした状態で、貫通孔４０３と回動部材用貫通孔４１６との両方にフック１０４を引っかける場合と、回動部材４１５の位置を変更し、これらの貫通孔が連通しないような位置で回動部材４１５に形成された貫通孔４０３のみにフック１０４を引っかける場合とで、貫通孔４０３の間の間隔を変更することができるようになる。
【００８１】
なお、本実施形態における挿入部４０１及び回動部材４１５は、ポリプロピレン樹脂の薄板により形成されているが、このような材質に限定されるわけではなく、例えば皮革等、他の素材により形成することも可能である。
【００８２】
また、本実施形態においては、肩掛け部２０２の両端にフック１０４を取り付け、肩掛け部２０２の両端を挿入部３０１に対して着脱自在に取り付けることができるようにしているが、第一の実施形態のように、一端については、固定的に挿入部４０１に取り付けることも可能である。
【００８３】
さらに、本実施形態においては、回動部材４１５を円形に形成したが、これは、挿入部４０１をベルト通し１２１、２２１に挿入する際に引っかからないようにするために選択された形状であり、この形状や大きさについては、挿入部４０１をベルト通し１２１、２２１に挿入することができる範囲で適時選択することができる設計事項であり、また、回動部材４１５を挿入部４０１に取り付ける位置についても、挿入部４０１をベルト通し１２１、２２１に挿入することができる範囲で適時選択することができる設計事項である。
【００８４】
なお、本実施形態における回動部材４１５の大きさは、回動部材４１５の直径が挿入部４０１の幅Ｘと同じになるように形成しているが、この大きさについても適時変更することが可能である。
【図面の簡単な説明】
【００８５】
【図１】第一の実施形態に係るショルダーストラップ１００の正面図及び腰袋１２０の背面図。
【図２】ショルダーストラップ１００の使用例を表す一部拡大図。
【図３】第二の実施形態に係るショルダーストラップ２００の正面図。
【図４】挿入部２０１の底面図。
【図５】挿入部２０１の正面図及び腰袋２２０の背面図。
【図６】第三の実施形態に係るショルダーストラップ３００の正面図。
【図７】挿入部３０１の正面図。
【図８】第四の実施形態に係るショルダーストラップ４００の正面図。
【図９】挿入部４０１の正面図。
【符号の説明】
【００８６】
１００、２００、３００、４００  ショルダーストラップ
１０１、２０１、３０１、４０１  挿入部
１０２、２０２  肩掛け部
１０３、３０３、４０３  貫通孔
３１５、４１５  回動部材
４１６  回動部材用貫通孔
【図１】
0003106247.tif 000003
【図２】
0003106247.tif 000004
【図３】
0003106247.tif 000005
【図４】
0003106247.tif 000006
【図５】
0003106247.tif 000007
【図６】
0003106247.tif 000008
【図７】
0003106247.tif 000009
【図８】
0003106247.tif 000010
【図９】
0003106247.tif 000011